(57)【要約】【課題】簡易的な構成で電源となる電池の長寿命化を図ること。【解決手段】電源部８の電源として電池を使用し、扉１２に設けられる錠装置１０の室内表出部材となる錠箱１１に取り付けられた施解錠監視部２で錠装置１０の室内側からの施錠操作が検出されたときに計時部５で在室監視時間の計時を開始し、計時する在室監視時間が居住者異常判別時間を経過したときに異常発生信号を出力し、計時部５から出力された異常発生信号に応じて錠装置の室外表出部材に設けられる室外報知部３を駆動して異常を報知する在室確認装置１において、施解錠監視部２で室内側操作部材であるサムターン１５の施錠操作が検出したときに電源部８の電源供給を開始し、室外側操作部材であるシリンダー錠１７の施解錠操作が検出したとき又は室内側操作部材であるサムターン１５の解錠操作が検出されたときに電源部８の電源供給を停止する。【選択図】図２
2014190044.tif 000002
【特許請求の範囲】
【請求項１】
扉に設けられる錠装置の室内表出部材に取り付けられ、前記錠装置の室内側からの施錠操作を検出する施解錠監視部と、
該施解錠監視部で前記錠装置の室内側からの施錠操作が検出されてから時間の計時を開始し、該計時する時間が居住者に異常が発生したことを判別するために設定された居住者異常判別時間を経過したときに異常発生信号を出力する計時部と、
前記錠装置の室外表出部材に設けられる室外報知部と、
前記異常発生信号の入力によって前記室外報知部を駆動する制御部と、
を備える在室確認装置において、
装置駆動に必要な電源を供給する電池を有する電源部を備え、
前記施解錠監視部で前記錠装置の室内側からの施錠操作が検出されたときに前記電源部の電源供給が開始されることを特徴とする在室確認装置。
【請求項２】
前記施解錠監視部は、さらに前記錠装置の室外側からの施解錠操作を検出し、
前記電源部は、前記施解錠監視部で前記錠装置の室外側からの施解錠操作が検出されたとき又は室内側から解錠操作が検出されたときに電源供給を停止することを特徴とする請求項１記載の在室確認装置。
【請求項３】
前記制御部は、前記電源部の電池容量が予め設定された電池交換用閾値を下回ったと判断したときに前記電池が交換されるまでの時間を前記計時部に計時させ、前記計時する時間が予め設定された電池未交換判別時間を超えたときに前記居住者に異常が発生したと判断して前記室外報知部を駆動することを特徴とする請求項１又は２記載の在室確認装置。
【発明の詳細な説明】
【技術分野】
【０００１】
本発明は、例えばマンション等の集合住宅における各住戸のセキュリティシステムの一部として採用され、住戸内の在室状態を外部から確認できる在室確認装置に関するものである。
【背景技術】
【０００２】
独居老人等、コミュニティから孤立してしまっている状態の人の非常事態を未然に防ぐために、宅内（室内）での状態を、外部に知らせる手段に関しては近年、様々な提案がなされている。
【０００３】
例えば、下記特許文献１に開示される生活モニターシステムは、家庭内の日常に使う電気ポットを検知センサとして、その使用頻度等を監視し、未使用時間が長くなった場合に、ネットワークを通じて外部に報知するようになっている。
【０００４】
また、下記特許文献２に開示される安否確認システムは、部屋に備え付けの機器、器具、扉等にセンサを取り付け、又は人感知センサを室内に設け、これらを監視する。この監視により、部屋内（宅内）での状況を、例えば使用回数をカウントすることによって、安否確認（モニタリング）を行い、異常発生等の際には、外部へ電話等で報知するようになっている。
【先行技術文献】
【特許文献】
【０００５】
【特許文献１】特開２００２ー７８０３４号公報
【特許文献２】特開２００１ー３５７４７５号公報
【発明の概要】
【発明が解決しようとする課題】
【０００６】
しかしながら、上記した従来の生活モニターシステムや安否確認システムは、いずれも、通信等ネットワークを使用することを前提としており、小規模のマンションではイニシャルコストの面からこのような大掛かりなシステムを導入することが難しい。
【０００７】
また、この種のシステムを導入するか否かは居住者の意思によって決定することが多く、導入先が賃貸物件の場合では、居住者が頻繁に入れ替わるため容易に取り付け可能な構成である必要があった。
【０００８】
さらに、各住戸に取り付ける場合、電源供給用の配線の引き回しが煩雑となるため、電源として電池式を採用することが多くなる。従って、電池のように容量が限られた電源で効率的な運用を行うには電力消費が極力少ない装置構成である必要があった。
【０００９】
そこで、本発明は上記問題点に鑑みてなされたものであり、従来のシステムと比較して取り付けが容易であり、且つ省電力化が図れる在室確認装置を提供することを目的とするものである。
【課題を解決するための手段】
【００１０】
上記した目的を達成するために、請求項１に記載された在室確認装置は、扉に設けられる錠装置の室内表出部材に取り付けられ、前記錠装置の室内側からの施錠操作を検出する施解錠監視部と、
該施解錠監視部で前記錠装置の室内側からの施錠操作が検出されてから時間の計時を開始し、該計時する時間が居住者に異常が発生したことを判別するために設定された居住者異常判別時間を経過したときに異常発生信号を出力する計時部と、
前記錠装置の室外表出部材に設けられる室外報知部と、
前記異常発生信号の入力によって前記室外報知部を駆動する制御部と、
を備える在室確認装置において、
装置駆動に必要な電源を供給する電池を有する電源部を備え、
前記施解錠監視部で前記錠装置の室内側からの施錠操作が検出されたときに前記電源部の電源供給が開始されることを特徴とする。
【００１１】
請求項２記載の在室確認装置は、請求項１記載の在室確認装置において、前記施解錠監視部は、さらに前記錠装置の室外側からの施解錠操作を検出し、
前記電源部は、前記施解錠監視部で前記錠装置の室外側からの施解錠操作が検出されたとき又は室内側からの解錠操作が検出されたときに電源供給を停止することを特徴とする。
【００１２】
請求項３記載の在室確認装置は、請求項１又は２記載の在室確認装置において、前記制御部は、前記電源部の電池容量が予め設定された電池交換用閾値を下回ったと判断したときに前記電池が交換されるまでの時間を前記計時部に計時させ、前記計時する時間が予め設定された電池未交換判別時間を超えたときに前記居住者に異常が発生したと判断して前記室外報知部を駆動することを特徴とする。
【発明の効果】
【００１３】
本発明に係る在室確認装置によれば、電源部の電源として電池を使用した構成であっても、特別な省電力装置等を具備することなく電源供給の必要なときにのみ電源供給される構成であるため、電池寿命の長期化を図ることができる。
【００１４】
また、通常であれば交換されるはずの電池が所定時間経過後しても交換されていないことが検出されると、在室中の居住者に何らかの異常が発生した可能性があると判断して室外報知するため、近隣住人や管理人等が居住者の安否確認を即座に行うことができる。
【図面の簡単な説明】
【００１５】
【図１】本発明に係る在室確認装置の一例を示す構成図でる。
【図２】同装置のシステム構成を示す機能ブロック図である。
【図３】同装置の動作手順を示すフローチャートである。
【発明を実施するための形態】
【００１６】
以下、本発明を実施するための形態について、添付した図面を参照しながら詳細に説明する。なお、この実施の形態によりこの発明が限定されるものではなく、この形態に基づいて当業者等によりなされる実施可能な他の形態、実施例及び運用技術等はすべて本発明の範疇に含まれる。
【００１７】
［装置構成について］
本例の在室確認装置１は、複数の住戸からなる建物、例えば一つの建物の中に複数の世帯が入居しているマンション、老人ホーム、寮等の集合住宅における各住戸の扉に設けられた既存若しくは新規に設置される錠装置１０に付設され、居住者による錠装置１０の施解錠操作に応じて居住者の在室確認を行うとともに、必要なときにのみ電源供給されるように省電力化が図られた装置である。
【００１８】
図１又は２に示すように、在室確認装置１は、施解錠監視部２と、室外報知部３と、室内報知部４と、計時部５と、記憶部６と、制御部７と、電源部８とを備えて構成されている。
【００１９】
なお、以下の実施形態では、装置の構成上、室内報知部４、計時部５、記憶部６、制御部７及び電源部８が室内側ユニットである施解錠監視部２に組み込まれる構成として説明するが、各部が電気的に接続され、且つ本発明の機能が実現されることを前提とした上で、任意に選択した各部を別体に設けた構成や錠装置１０内に組み込んだ構成としてもよい。
【００２０】
まず、各住戸の玄関に設置される開閉体としての扉１２（引き戸も含む）に設けられる錠装置１０について説明する。錠装置１０は、例えば室内表出部材としての錠箱１１が扉１２の室内面に表出して取り付けられる露出タイプの周知の施解錠装置等で構成される。錠箱１１には、デッドボルト１３、ラッチボルト１４、室内側操作部材としてのサムターン１５、開閉操作部材としての室内側レバーハンドル１６等が取り付けられる。また、扉１２の室外面には、シリンダー錠１７や開閉操作部材としての室外側レバーハンドル１８等の支持体、機構部品を隠すカバー体となる室外表出部材であるエスカチオン１９が設けられている。
【００２１】
なお、錠箱１１が扉１２に内設される場合には、扉１２の室内面に表出する座板部材であるエスカチオンが室内表出部材となる。また、室内面にサムターン１５のみ表出する構成の場合には、サムターン１５のカラー部分等が室内表出部材になる。
【００２２】
施解錠監視部２は、錠装置１０と別体に構成され、扉１２に設けられた錠装置１０の錠箱１１に取り付けられる室内側ユニットである。施解錠監視部２は、錠装置１０の室内及び室外側から施解錠操作がなされたか否かを監視するもので、サムターン１５の操作を検出する室内側操作検出手段２ａと、シリンダー錠１７の操作を検出する室外側操作検出手段２ｂとを有している。
【００２３】
室内側操作検出手段２ａは、室内側からの施錠操作（すなわち、サムターン１５の施錠操作）が行われたことを検出すると、電源をＯＮにするための供給開始信号を電源部８に出力するとともに、この検出結果を室内側操作信号として制御部７に出力している。また、室内側操作検出手段２ａは、室内側からの解錠操作（すなわち、サムターン１５の解錠操作）が行われたことを検出すると、電源をＯＦＦにするための供給停止信号を電源部８に出力している。
【００２４】
室内側操作検出手段２ａとしては、例えば錠箱１１に取り付けられた際、サムターン１５の操作で作動するリードスイッチで構成することができる。これにより、錠装置１０に取り付けられた状態において、室内側のサムターン１５の操作により室内側操作検出手段２ａとしてのリードスイッチがＯＮ／ＯＦＦし、リードスイッチがＯＮとなったときに室内側からの施錠操作を検出することができる。
【００２５】
なお、室内側操作検出手段２ａは、リードスイッチに限定されるものではない。例えば機械的なスイッチ、タッチセンサ、表面スイッチ等で構成することもできる。さらに説明すると、機械的なスイッチとしては、サムターン１５の操作でＯＮ／ＯＦＦするマイクロスイッチ等がある。タッチセンサは、室内からサムターン１５が操作されたときにＯＮするものである。表面スイッチとしては、サムターン１５の表面に設けられ、サムターン１５を操作（摘む）するとＯＮする押しボタン等がある。
【００２６】
また、施解錠監視部２は、錠装置１０の室内側からの施錠操作を検出する構成として、例えば特開２００１−２２７２１４号公報（特許第４１９８８５７号公報）に示される錠前の信号取り出し機構において、シリンダー錠１７とサムターン１５を入れ替える構成を採用すれば、室内側のサムターンによる施錠操作を検出することができる。
【００２７】
室外側操作検出手段２ｂは、室外側からの施解錠操作（すなわち、シリンダー錠１７による施解錠操作）が行われたことを検出すると、電源をＯＦＦにするための供給停止信号を電源部８に出力するとともに、この検出結果を室外側操作信号として制御部７に出力している。
【００２８】
室外側操作検出手段２ｂとしては、例えばシリンダー錠１７の内筒に設けられ、シリンダー錠１７に挿入される鍵の先端や鍵が挿入されたときに可変するピンタンブラーの位置等を光学的に検出する光学センサで構成することができる。これにより、錠装置１０に取り付けられた状態において、シリンダー錠１７からの施解錠操作を検出することができる。
【００２９】
なお、室外側操作検出手段２ｂは、室内側操作検出手段２ａと同様に、例えば機械的なスイッチ、タッチセンサ、表面スイッチ等で構成して室外側からの施解錠操作を検出することもできる。さらに説明すると、機械的なスイッチとしては、シリンダー錠１７に鍵を挿入し施解錠のための回動操作でＯＮ／ＯＦＦするマイクロスイッチ等がある。タッチセンサは、室外からシリンダー錠１７が操作されたときにＯＮするものである。表面スイッチとしては、シリンダー錠１７の表面に設けられ、シリンダー錠１７に鍵を挿入するとＯＮする押しボタン等がある。
【００３０】
室外報知部３は、例えばＬＥＤ等の発光機器で構成される室外側報知機器３ａを有する室外側ユニットであり、室外の建物部分（例えば扉１２の室外面や、錠装置１０のエスカチオン１９等）に取り付けられる。図示の例では、室内側報知機器４ａが１種類のＬＥＤ（赤色）で構成されている。室外報知部３は、扉１２内でコネクタ等を介して施解錠監視部２との間で着脱可能に接続され、施解錠監視部２と電気的に接続される。室外報知部３は、制御部７からの異常報知信号を入力すると、異常発生を報知するべく所定の報知動作（点灯／点滅）を行う。
【００３１】
なお、室外報知部３は、発光機器による表示のみの報知に限定されるものではなく、室外側報知機器３ａとして、例えばスピーカやブザー等の各種音響機器による報知音や合成音声の出力、ＬＣＤ等の表示機器による通知内容の表示等でもよい。また、室外報知部３による報知方法は、実装される各種報知機器（ＬＥＤ、音響機器、表示機器）の種類に応じて報知の仕方（報知間隔や報知時間等）が異なるが、少なくとも居住者や近隣の住人若しくは管理人に対し、的確に報知内容が伝達されるように適宜設定されるものとする。
【００３２】
室内報知部４は、例えばＬＥＤ等の発光機器で構成される室内側報知機器４ａを有し、施解錠監視部の筐体表面の所定箇所に設けられている。図示の例では、室内側報知機器４ａが２種類のＬＥＤ（赤色、緑色）で構成されている。室内報知部４は、制御部７から異常発生を知らせる異常発生信号が入力されたときに、異常発生を報知するべく所定の報知動作（点灯／点滅）を行う。また、室内報知部４は、制御部７からの室内施錠確認報知信号を入力すると、室内施錠確認を報知するべく所定の報知動作（点灯／点滅）を行っている。さらに、室内報知部４は、制御部７からの電池交換報知信号を入力すると、電池交換を促すように報知するべく所定の報知動作（点灯／点滅）を行っている。また、室内報知部４は、制御部７からの機器異常報知信号を入力すると、機器の異常を報知するべく所定の報知動作（点灯／点滅）を行っている。
【００３３】
なお、室内報知部４も、室外報知部３と同様に、発光機器による表示のみの報知に限定されるものではなく、室内側報知機器４ａとして、例えばスピーカやブザー等の各種音響機器による報知音や合成音声の出力、ＬＣＤ等の表示機器による通知内容の表示等でもよい。また、室内報知部４による報知方法は、実装される各種報知機器（ＬＥＤ、音響機器、表示機器）の種類に応じて報知の仕方（報知間隔や報知時間等）が異なるが、少なくとも居住者や近隣の住人若しくは管理人に対し、的確に報知内容が伝達されるように適宜設定されるものとする。
【００３４】
計時部５は、タイマー等の計時機器で構成されている。計時部５は、制御部７からの在室監視時間計時信号を入力すると、在室監視時間の計測を開始し、計測する在室監視時間が記憶部６に記憶された居住者異常判別時間を経過したときに、異常発生信号を制御部７に出力している。また、計時部５は、制御部７からの計時リセット信号を入力すると、計時中の在室監視時間や電池交換時間をリセットする。
【００３５】
さらに、計時部５は、制御部７からの電池交換時間計時信号を入力すると、電池が交換されるまでの時間となる電池交換時間の計時を開始し、計測する電池交換時間が記憶部６に記憶された電池未交換判別時間を経過したときに、異常発生信号を制御部７に出力している。
【００３６】
記憶部６は、例えばＥＥＰＲＯＭやフラッシュメモリ等の不揮発性メモリやＤＲＡＭやＳＤＲＡＭ等の揮発性メモリを含む各種半導体メモリ、ＨＤＤ等の各種記憶装置で構成され、在室する居住者に異常が発生したことを判断するための居住者異常判別時間、電池交換を通知してから一定期間交換されていないときに居住者に異常が発生したことを示す電池未交換判別時間、電源部８の電源残量から電池交換の必要の有無を判別するための電池交換用閾値の他、在室確認装置１を構成する各部の駆動制御情報を記憶している。
【００３７】
なお、居住者異常判別時間及び電池未交換判別時間は、デフォルトで設定された時間を任意に選択して設定する他、取り付けられる住戸の使用環境や居住者の年齢、健康状態等を鑑みて適切な時間を設定するような構成でもよい。また、電池交換用閾値は、全ての電池容量が無くなる状態ではなく、少なくとも数回分は使用できる程度の容量が残されている状態（例えば閾値として電池残量が５％以下）に設定される。
【００３８】
制御部７は、例えばＣＰＵ（Central Processing Unit ）やＲＯＭ（Read Only Memory），ＲＡＭ（Random Access Memory）等のプロセッサで構成され、計時部５の計時制御、室外報知部３及び室内報知部４の報知制御の他、在室確認装置１を構成する各部の駆動制御をしている。
【００３９】
次に、制御部７による計時部５の計時制御について説明する。制御部７は、施解錠監視部２からの室内側操作信号を入力すると、計時部５に在室監視時間の計時を開始させるための在室監視時間計時信号を出力している。また、制御部７は、施解錠監視部２からの室外側操作信号を入力すると、計時中の在室監視時間をリセットさせるための計時リセット信号を計時部５に出力している。さらに、制御部７は、電源部８の電池残量を検出し、記憶部６に記憶される電池交換用閾値を下回ったことを判別すると、計時部５に電池交換時間を計時させるための電池交換時間計時信号を出力している。また、制御部７は、電池が取り外されたときは、計時中の在室監視時間や電池交換時間をリセットさせるための計時リセット信号を計時部５に出力している。
【００４０】
次に、制御部７による室外報知部３及び室内報知部４の報知制御について説明する。制御部７は、在室監視時間が居住者異常判別時間を超えたとき又は電池交換時間が電池未交換判別時間を超えたときに出力される計時部５からの異常発生信号を入力すると、室外報知部３に異常発生を報知するための異常報知信号を出力している。また、制御部７は、施解錠監視部２からの室内側操作信号を入力すると、室内報知部４に室内施錠確認を報知するための室内施錠確認報知信号を出力している。さらに、制御部７は、電源部８の電池残量を検出し、記憶部６に記憶される電池交換用閾値を下回ったことを検出すると、室内報知部４に電池交換を促すための電池交換報知信号を出力している。また、制御部７は、本装置を構成する機器の異常を確認すると、室内報知部４に機器異常報知信号を出力している。
【００４１】
電源部８は、例えばボタン電池、乾電池、二次電池等の電池が着脱交換可能な電源ユニットで構成されている。本例では、施解錠監視部２に内蔵した構成であるが、別体として扉の所定箇所や扉近傍に設けた構成又は錠装置１０の錠箱内に設けてもよい。また、電源部８は、施解錠監視部２からの供給開始信号を入力すると各部に対する電源供給を開始し、供給停止信号を入力すると各部に対する電源供給を停止させる。
【００４２】
［処理動作ついて］
次に、上記のように構成される在室確認装置１の動作について図３のフローチャートを参照しながら説明する。
【００４３】
まず、本装置を設置した状態で運用を開始が開始されると、サムターン１５により施錠操作されたか否かの判別を行う（ＳＴ１）。
【００４４】
このとき、サムターン１５による施錠操作がなされたときは（ＳＴ１−Ｙｅｓ）、電源部８からの電源供給が開始し（ＳＴ２）、在室監視処理と、電池交換判別処理を実行する。
一方、サムターン１５による施錠操作がなされていないときは（ＳＴ１−Ｎｏ）、再びＳＴ１に戻り、サムターン１５により施解錠操作されたか否かの判別を続ける。
【００４５】
（在室監視処理について）
在室監視処理としては、ＳＴ２で電源供給が開始されると、計時部５で在室監視時間の計時を開始する（ＳＴ３）。そして、在室監視時間の計時が開始されると、次に計時している在室監視時間が居住者異常判別時間を超えたか否かの判別を行う（ＳＴ４）。
【００４６】
このとき、在室監視時間が居住者異常判別時間を超えている場合は（ＳＴ４−Ｙｅｓ）、居住者に異常が発生したと判断し、室外報知部３に異常発生を報知するための異常報知信号を出力して異常発生を報知する（ＳＴ５）。
一方、在室監視時間が居住者異常判別時間を超えていない場合は（ＳＴ４−Ｎｏ）、再度ＳＴ３に戻り、在室監視時間が居住者異常判別時間を超えたか否かの判別を続ける。
【００４７】
（電池交換判別処理について）
電池交換判別処理としては、ＳＴ２で電源供給が開始されると、電池残量が電池交換用閾値を下回っているか否かの判別を行う（ＳＴ６）。
【００４８】
このとき、電池残量が電池交換用閾値を下回っている場合は（ＳＴ６−Ｙｅｓ）、室内報知部４から電池交換を促すための報知を行い（ＳＴ７）、電池交換時間の計時を開始する（ＳＴ８）。
一方、電池残量が電池交換用閾値を下回っていない場合は（ＳＴ６−Ｎｏ）、電池残量が電池交換用閾値を下回ったか否かの判別を継続する。
【００４９】
ＳＴ８において電池交換時間の計時が開始されると、次に電池交換時間が電池未交換判別時間を超えたか否かの判別を行う（ＳＴ９）。
【００５０】
このとき、電池交換時間が電池未交換判別時間を超えた場合は（ＳＴ９−Ｙｅｓ）、居住者に異常が発生したと判断し、室外報知部３に異常発生を報知するための異常報知信号を出力して異常発生を報知する（ＳＴ５）
一方、電池交換時間が電池未交換判別時間を超えていない場合は（ＳＴ９−Ｎｏ）、電池交換時間が電池未交換判別時間を超えたか否かの判別処理を継続する。
【００５１】
また、在室監視処理又は電池交換判別処理において、ＳＴ５に示す室外報知部３からの異常報知が行われると、次に室外報知を終了するか否かの判別を行う（ＳＴ１０）。このとき、報知時間の経過や所定の報知解除動作（例えば電池を取り外してから再度取り付けることによる電源ＯＦＦ操作→電源ＯＮ操作や、シリンダー錠１７の解錠操作からサムターン１５の施錠操作による電源ＯＦＦ操作→電源ＯＮ操作）によって室外報知が終了した場合は（ＳＴ１０−Ｙｅｓ）、サムターン１５の解錠操作、シリンダー錠１７の操作、電池の取り外し等により電源をＯＦＦにして計時部５による計時をリセットし（ＳＴ１１）し、再度ＳＴ１に戻って在室確認処理を継続する。
一方、室外報知をまだ終了しない場合は（ＳＴ１０−Ｎｏ）、再度ＳＴ５に戻って室外報知を継続する。
【００５２】
なお、本処理動作中に室外側操作信号を入力したときは、計時部５による計時がリセットされ、再度ＳＴ１に戻って在室確認処理を継続する。
【００５３】
以上説明したように、上述した在室確認装置１は、電源として電池を使用し、扉１２に設けられる錠装置１０の室内表出部材となる錠箱１１に取り付けられた施解錠監視部２で錠装置１０の室内側からの施錠操作が検出されたときに計時部５で在室監視時間の計時を開始し、計時する在室監視時間が居住者異常判別時間を経過したときに異常発生信号を出力し、計時部５から出力された異常発生信号に応じて錠装置１０の室外表出部材に設けられる室外報知部３を駆動して異常を報知する装置において、施解錠監視部２で室内側操作部材であるサムターン１５の施錠操作が検出したときに電源部８の電源供給を開始し、室外側操作部材であるシリンダー錠１７の施解錠操作が検出したとき又はサムターン１５の解錠操作が検出されたときに電源部８の電源供給を停止している。
【００５４】
これにより、電源部８の電源として電池を使用した構成であっても、特別な省電力装置等を具備することなく電源供給の必要なときにのみ電源供給される構成であるため、電池寿命の長期化を図ることができる。
【００５５】
また、計時部５で電池残量が電池交換用閾値を下回ったときに電池が交換されるまでの時間である電池交換時間の計時を開始し、計時を開始してから電池未交換判別時間を超えたとき、居住者に何らかの異常が発生したと判断して室外報知部３から報知している。
【００５６】
このため、通常であれば電池交換の報知を確認して交換されるはずの電池が交換されないことにより在室中の居住者に何らかの異常が発生した可能性があると判断して報知されるため、近隣住人や管理人等が居住者の安否確認を即座に行うことができる。
【符号の説明】
【００５７】
１…在室確認装置
２…施解錠監視部（２ａ…室内側操作検出手段、２ｂ…室外側操作検出手段）
３…室外報知部（３ａ…室外側報知機器）
４…室内報知部（４ａ…室内側報知機器）
５…計時部
６…記憶部
７…制御部
８…電源部
１０…錠装置
１１…錠箱（室内表出部材）
１２…扉
１３…デッドボルト
１４…ラッチボルト
１５…サムターン（室内側操作部材）
１６…室内側レバーハンドル（開閉操作部材）
１７…シリンダー錠
１８…室外側レバーハンドル（開閉操作部材）
１９…エスカチオン（室外表出部材）
【図１】
2014190044.tif 000003
【図２】
2014190044.tif 000004
【図３】
2014190044.tif 000005